(57)【要約】【課題】  内部記憶装置の記憶容量を確保するために画像データを消去する等のユーザの作業負担を軽減すると共に、内部記憶装置による数多くの画像データの記憶を可能とする画像形成装置を提供する。【解決手段】  ＨＤＤ１９０に記憶される画像データの識別データ及び画像データの特性（登録日、データ量等）を示す特性データを記憶する特性データ記憶部３１２と、解像度変換処理の対象となる画像データの特性に関する条件データを記憶する条件データ記憶部２０２と、条件データ記憶部２０２に記憶される条件データと特性データ記憶部２０１に記憶される特性データとを比較し、条件データを満たす特性データを検索する検索部３１４と、検索部３１４により条件データを満たす特性データが検出された場合、特性データに対応する識別データに基づき、ＨＤＤ１９０に記憶される画像データの解像度を低くする解像度変換処理を行う画像処理部１１０とを備える。【選択図】      図４
2005269409.tif 000002
【特許請求の範囲】
【請求項１】
画像データの解像度を変換する解像度変換手段と、
ユーザからの登録指示に基づいて画像データを記憶する画像記憶手段と、
前記画像記憶手段に記憶される画像データを識別するための識別データ及び当該画像データの特性を示す少なくとも一つの特性データを関連付けて記憶する特性記憶手段と、
前記特性記憶手段に記憶される前記特性データを対応する画像データの特性の変更に応じて更新するデータ更新手段と、
前記解像度変換手段による画像データの解像度を低くする解像度変換処理の対象となる画像データの特性に関する条件データを記憶する条件記憶手段と、
前記特性記憶手段に記憶される特性データの中から前記条件記憶手段に記憶される前記条件データを満たす特性データを検索する検索手段と、
前記検索手段により前記条件データを満たす特性データが検出された場合、当該特性データに対応する識別データに基づき、前記画像記憶手段に記憶される画像データの解像度を低くする解像度変換処理を前記解像度変換手段に行なわせるとともに、前記画像記憶手段に記憶される当該画像データを前記解像度変換手段により解像度が低く変換された画像データで置き換える画像制御手段とを備えたことを特徴とする画像処理装置。
【請求項２】
前記少なくとも一つの特性データのうち一以上の特性データに関連する条件データの指定を受け付け、且つ指定を受け付けた条件データを前記条件記憶手段に記憶させる条件指定手段を更に備えたことを特徴とする請求項１記載の画像処理装置。
【請求項３】
前記少なくとも一つの特性データは、画像データが前記画像記憶手段に記憶された時間から現在までの期間である登録期間を示す登録期間データを含んでおり、
前記条件指定手段は、前記条件データの少なくとも選択的要素又は必要的要素を構成する一部として、前記登録期間データが予め設定された閾値を超えることを内容とする登録期間条件データの指定を受け付けることを特徴とする請求項２記載の画像処理装置。
【請求項４】
ユーザからの指示に基づいて前記画像記憶手段に記憶される画像データを読み出す読出手段を更に備え、
前記少なくとも一つの特性データは、前記画像記憶手段に記憶される前記画像データが前記読出手段により過去最新に読み出されたアクセス時間から現在までの期間である保存期間を示す保存期間データを含んでおり、
前記条件指定手段は、前記条件データの少なくとも選択的要素又は必要的要素を構成する一部として、前記保存期間データが予め設定された閾値を超えることを内容とする保存期間条件データの指定を受け付けることを特徴とする請求項２または３に記載の画像処理装置。
【請求項５】
前記少なくとも一つの特性データは、前記画像記憶手段に記憶される画像データが前記読出手段により既に読み出されたアクセス回数を示すアクセス回数データを含んでおり、
前記条件指定手段は、前記条件データの少なくとも選択的要素又は必要的要素を構成する一部として、前記アクセス回数データが予め設定された閾値以下であることを内容とするアクセス回数条件データの指定を受け付けることを特徴とする請求項４記載の画像処理装置。
【請求項６】
ユーザからの指示に基づいて前記画像記憶手段に記憶される画像データを読み出す読出手段を更に備え、
前記少なくとも一つの特性データは、前記画像記憶手段に記憶される画像データが前記読出手段により既に読み出されたアクセス回数を示すアクセス回数データを含んでおり、
前記条件指定手段は、前記条件データの少なくとも選択的要素又は必要的要素を構成する一部として、前記アクセス回数データが予め設定された閾値以下であることを内容とするアクセス回数条件データの指定を受け付けることを特徴とする請求項２または３に記載の画像処理装置。
【請求項７】
前記少なくとも一つの特性データは、前記画像記憶手段に記憶される画像データの情報量を示す情報量データを含んでおり、
前記条件指定手段は、前記条件データの少なくとも選択的要素又は必要的要素を構成する一部として、前記情報量データが予め設定された閾値を超えることを内容とする情報量条件データの指定を受け付けることを特徴とする請求項２〜６のいずれかに記載の画像処理装置。
【発明の詳細な説明】
【技術分野】
【０００１】
本発明は、画像データを記憶する内部記憶装置を備えた画像処理装置に関する。
【背景技術】
【０００２】
従来、画像データを記憶するための内部記憶装置（ＨＤＤ）を備える画像処理装置として、複写機、ファクシミリ装置、プリンタ、スキャナ等の機能を兼ね備えたデジタル複合機が知られている。デジタル複合機の内部記憶装置は、プリントアウトのためにネットワーク上のコンピュータから受信した画像データを一時的に記憶する記憶領域としても使用される。この内部記憶装置の空き容量がなくなると、新たな画像データを記憶するためにユーザが内部記憶装置に記憶されている画像データを呼び出すための操作を操作部で行い、呼び出された画像データから必要なデータであるか否かを判断し、不要となったデータを消去する操作を行う必要があった。
【発明の開示】
【発明が解決しようとする課題】
【０００３】
しかしながら、画像データを一つ一つ確認しながら、不要な画像データを選択する作業は、ユーザにとって大変煩雑であるいう問題点があった。また、内部記憶装置に記憶される画像データが今後も必要となるものばかりでも、新たな画像データを記憶する記憶容量を確保するために、内部記憶装置に記憶されている画像データのいずれかを消去せざるを得ないため、記憶可能な画像データの数が制限されるという問題点もあった。
【０００４】
本発明は、上述した問題点を解決するためになされたものであり、内部記憶装置に記憶される画像データを消去する等のユーザの作業負担を軽減すると共に、数多くの画像データを内部記憶装置に記憶可能とする画像処理装置を提供することを目的とする。
【課題を解決するための手段】
【０００５】
請求項１に係る画像処理装置は、画像データの解像度を変換する解像度変換手段と、ユーザからの登録指示に基づいて画像データを記憶する画像記憶手段と、前記画像記憶手段に記憶される画像データを識別するための識別データ及び当該画像データの特性を示す少なくとも一つの特性データを関連付けて記憶する特性記憶手段と、前記特性記憶手段に記憶される前記特性データを対応する画像データの特性の変更に応じて更新するデータ更新手段と、前記解像度変換手段による画像データの解像度を低くする解像度変換処理の対象となる画像データの特性に関する条件データを記憶する条件記憶手段と、前記特性記憶手段に記憶される特性データの中から前記条件記憶手段に記憶される前記条件データを満たす特性データを検索する検索手段と、前記検索手段により前記条件データを満たす特性データが検出された場合、当該特性データに対応する識別データに基づき、前記画像記憶手段に記憶される画像データの解像度を低くする解像度変換処理を前記解像度変換手段に行なわせるとともに、前記画像記憶手段に記憶される当該画像データを前記解像度変換手段により解像度が低く変換された画像データで置き換える画像制御手段とを備えたことを特徴とする。
【０００６】
この構成によれば、前記検索手段により前記特性記憶手段に記憶される特性データの中から前記条件データを満たす特性データが検出された場合、前記解像度変換手段により前記画像記憶手段に記憶される当該特性データに対応する画像データの解像度を低くする解像度変換処理が行なわれるともに、前記画像記憶手段に記憶される画像データが前記解像度変換手段により解像度が低く変換された画像データで置き換わるため、前記画像記憶手段の空き容量が少なくなっても画像データを消去することなく、前記画像記憶手段の空き容量を増加させることができる。また、画像記憶手段の空き容量を確保するためのユーザによる画像データを消去する作業を省略することができ、ユーザの作業負担を軽減することができる。前記画像記憶手段の空き容量の増加に伴い従来より数多くの画像データを前記画像記憶手段に記憶することが可能となる。
【０００７】
請求項２に係る画像処理装置は、請求項１記載の画像処理装置において、前記少なくとも一つの特性データのうち一以上の特性データに関連する条件データの指定を受け付け、且つ指定を受け付けた条件データを前記条件記憶手段に記憶させる条件指定手段を更に備えたことを特徴とする。
【０００８】
この構成によれば、前記少なくとも一つの特性データのうち一以上の特性データに関連する条件データの指定を受け付け、且つ指定を受け付けた条件データを前記条件記憶手段に記憶させる条件指定手段を更に備えているため、ユーザは任意に一以上の特性データに関連する条件データを指定することができる。
【０００９】
請求項３に係る画像処理装置は、請求項１または２記載の画像処理装置において、前記少なくとも一つの特性データは、画像データが前記画像記憶手段に記憶された時間から現在までの期間である登録期間を示す登録期間データを含んでおり、前記条件指定手段は、前記条件データの少なくとも選択的要素又は必要的要素を構成する一部として、前記登録期間データが予め設定された閾値を超えることを内容とする登録期間条件データの指定が受け付けられることを特徴とする。
【００１０】
この構成によれば、前記条件指定手段により、前記条件データの少なくとも選択的要素又は必要的要素を構成する一部として、前記登録期間データが予め設定された閾値を超えることを内容とする登録期間条件データの指定が受け付けられる。なお、ここで選択的要素とは、条件データが複数の要素で構成される場合、その要素が満たされれば条件データは満たされていると判断される要素であり、必要的要素とはその要素が満たされない限り条件データも満たされないと判断される要素である。また、条件データは、登録期間条件データ単独で構成されるものであっても良い。例えば、条件指定手段により、条件データの必要的要素として登録期間条件データの指定が単独で受け付けられた場合、前記検索手段により前記特性記憶手段に記憶される特性データの中から予め設定された閾値を超える登録期間データが検索され、予め設定された閾値を超える登録期間データが検出された場合、当該登録期間データに対応する識別データに基づき、前記画像記憶手段に記憶される画像データの解像度を低くする解像度変換処理が前記解像度変換手段により行なわれるため、前記画像記憶手段に記憶される画像データの中から画像データの登録順に画像データの解像度を低くすることができる。
【００１１】
請求項４に係る画像処理装置は、請求項２または３に記載の画像処理装置において、ユーザからの指示に基づいて前記画像記憶手段に記憶される画像データを読み出す読出手段を更に備え、前記少なくとも一つの特性データは、前記画像記憶手段に記憶される前記画像データが前記読出手段により過去最新に読み出されたアクセス時間から現在までの期間である保存期間を示す保存期間データを含んでおり、前記条件指定手段は、前記条件データの少なくとも選択的要素又は必要的要素を構成する一部として、前記保存期間データが予め設定された閾値を超えることを内容とする保存期間条件データの指定を受け付けることを特徴とする。
【００１２】
この構成によれば、前記条件指定手段により、前記条件データの少なくとも選択的要素又は必要的要素を構成する一部として、前記保存期間データが予め設定された閾値を超えることを内容とする保存期間条件データの指定が受け付けられる。例えば、前記条件指定手段により、条件データの必要的要素として保存期間条件データの指定が単独で受け付けられた場合、検索手段により前記特性記憶手段に記憶される特性データの中から予め設定された閾値を超える保存期間データが検索され、予め設定された閾値を超える保存期間データが検出された場合、当該保存期間データに対応する識別データに基づき、前記画像記憶手段に記憶される画像データの解像度を低くする解像度変換処理が前記解像度変換手段により行なわれるため、画像記憶手段に記憶される画像データの中からアクセス状況に応じて、保存期間が閾値を超える使用頻度の低い画像データの解像度を選択的に低くすることができ、保存期間が閾値以下の使用頻度の高い画像データを高品質で保つことができる。
【００１３】
請求項５に係る画像処理装置は、請求項４記載の画像処理装置において、前記少なくとも一つの特性データは、前記画像記憶手段に記憶される画像データが前記読出手段により既に読み出されたアクセス回数を示すアクセス回数データを含んでおり、前記条件指定手段は、前記条件データの少なくとも選択的要素又は必要的要素を構成する一部として、前記アクセス回数データが予め設定された閾値以下であることを内容とするアクセス回数条件データの指定を受け付けることを特徴とする。
【００１４】
この構成によれば、前記条件指定手段により、前記条件データの少なくとも選択的要素又は必要的要素を構成する一部として、前記アクセス回数データが予め設定された閾値以下であることを内容とするアクセス回数条件データの指定が受け付けられる。例えば、前記条件指定手段により、条件データの必要的要素としてアクセス回数条件データの指定が単独で受け付けられた場合、前記検索手段により前記特性記憶手段に記憶される特性データの中から予め設定された閾値以下のアクセス回数データが検索され、予め設定された閾値以下のアクセス回数データが検出された場合、当該アクセス回数データに対応する識別データに基づき、前記画像記憶手段に記憶される画像データの解像度を低くする解像度変換処理が前記解像度変換手段により行なわれるため、前記画像記憶手段に記憶される画像データの中からアクセス状況に応じて、アクセス回数が閾値以下の使用頻度の低い画像データの解像度を選択的に低くすることができ、アクセス回数が閾値を超える使用頻度の高い画像データを高品質で保つことができる。
【００１５】
請求項６に係る画像処理装置は、請求項２または３に記載の画像処理装置において、ユーザからの指示に基づいて前記画像記憶手段に記憶される画像データを読み出す読出手段を更に備え、前記少なくとも一つの特性データは、前記画像記憶手段に記憶される画像データが前記読出手段により既に読み出されたアクセス回数を示すアクセス回数データを含んでおり、前記条件指定手段は、前記条件データの少なくとも選択的要素又は必要的要素を構成する一部として、前記アクセス回数データが予め設定された閾値以下であることを内容とするアクセス回数条件データの指定を受け付けることを特徴とする。
【００１６】
この構成によれば、前記条件指定手段により、前記条件データの少なくとも選択的要素又は必要的要素を構成する一部として、前記アクセス回数データが予め設定された閾値以下であることを内容とするアクセス回数条件データの指定が受け付けられる。例えば、前記条件指定手段により、条件データの必要的要素としてアクセス回数条件データの指定が単独で受け付けられた場合、前記検索手段により前記特性記憶手段に記憶される特性データの中から予め設定された閾値以下のアクセス回数データが検索され、予め設定された閾値以下のアクセス回数データが検出された場合、当該アクセス回数データに対応する識別データに基づき、前記画像記憶手段に記憶される画像データの解像度を低くする解像度変換処理が前記解像度変換手段により行なわれるため、前記画像記憶手段に記憶される画像データの中からアクセス状況に応じて、アクセス回数が閾値以下の使用頻度の低い画像データの解像度を選択的に低くすることができ、アクセス回数が閾値を超える使用頻度の高い画像データを高品質で保つことができる。
【００１７】
請求項７に係る画像処理装置は、請求項２〜６のいずれかに記載の画像処理装置において、前記少なくとも一つの特性データは、前記画像記憶手段に記憶される画像データの情報量を示す情報量データを含んでおり、前記条件指定手段は、前記条件データの少なくとも選択的要素又は必要的要素を構成する一部として、前記情報量データが予め設定された閾値を超えることを内容とする情報量条件データの指定を受け付けることを特徴とする。
【００１８】
この構成によれば、前記条件指定手段により、前記条件データの少なくとも選択的要素又は必要的要素を構成する一部として、前記情報量データが予め設定された閾値を超えることを内容とする情報量条件データの指定が受け付けられる。例えば、前記条件指定手段により、条件データの必要的要素として情報量条件データの指定が単独で受け付けられた場合、前記検索手段により前記特性記憶手段に記憶される特性データの中から予め設定された閾値を超える情報量データが検索され、予め設定された閾値を超える情報量データが検出された場合、当該情報量データに対応する識別データに基づき、前記画像記憶手段に記憶される画像データの解像度を低くする解像度変換処理が前記解像度変換手段により行なわれるため、前記画像記憶手段に記憶される画像データの中から例えばデータ量の多い画像データの解像度を選択的に低くすることができ、前記画像記憶手段の空き容量を効率的に増加させることができる。
【発明の効果】
【００１９】
請求項１に係る画像処理装置によれば、画像記憶手段の空き容量が少なくなっても画像記憶手段に記憶される画像データを消去することなく、画像記憶手段の空き容量を増加させることができる。また、画像記憶手段の空き容量を確保するためのユーザによる画像データを消去する作業を省略することができ、ユーザの作業負担を軽減することができる。前記画像記憶手段の空き容量の増加に伴い従来より数多くの画像データを前記画像記憶手段に記憶することが可能となる。
【００２０】
請求項２に係る画像処理装置によれば、ユーザは条件指定手段を用いて任意に一以上の特性データに関連する条件データを指定することができる。
【００２１】
請求項３に係る画像処理装置によれば、画像記憶手段に記憶される画像データの中から画像データの登録順に画像データの解像度を低くすることができる。
【００２２】
請求項４に係る画像処理装置によれば、画像記憶手段に記憶される画像データの中からアクセス状況に応じて、保存期間が閾値を超える使用頻度の低い画像データに対して選択的に解像度を低くする解像度変換処理を行い、保存期間が閾値以下の使用頻度の高い画像データを高品質で保つことができる。
【００２３】
請求項５に係る画像処理装置によれば、画像記憶手段に記憶される画像データの中からアクセス状況に応じて、アクセス回数が閾値以下の使用頻度の低い画像データに対して選択的に解像度を低くする解像度変換処理を行い、保存期間が閾値を超える使用頻度の高い画像データを高品質で保つことができる。
【００２４】
請求項６に係る画像処理装置によれば、画像記憶手段に記憶される画像データの中からアクセス状況に応じて、アクセス回数が閾値以下の使用頻度の低い画像データに対して選択的に解像度を低くする解像度変換処理を行い、保存期間が閾値を超える使用頻度の高い画像データを高品質で保つことができる。
【００２５】
請求項７に係る画像処理装置によれば、画像記憶手段に記憶される画像データの中から例えばデータ量の多い画像データに対して選択的に解像度を低くする解像度変換処理を行い、画像記憶手段の空き容量を効率的に増加させることができる。
【発明を実施するための最良の形態】
【００２６】
以下、本発明の一実施形態に係る画像処理装置について図面を参照して説明する。図１は、本発明に係る画像処理装置の一例であるデジタル複合機１の概略構成を示す模式図である。なお、ここでは、画像処理装置の一例としてデジタル複写機を用いているが、これに限定されるものではなく、画像データを記憶する内部記憶装置（ＨＤＤ）を有するＰＣ（パーソナルコンピュータ）等の画像処理装置にも本発明は適用可能である。
【００２７】
図１に示すように、デジタル複合機１では、コピー動作を行う場合、デジタル複合機本体４内において、帯電装置５により図中のＡ方向に回転する感光体ドラム６が一様に帯電され、原稿読取部（以下、スキャナ部）７で読み取られた原稿画像に基づく露光装置（レーザ走査ユニット等）８からのレーザビームにより感光体ドラム６上に静電潜像が形成され、現像部９により静電潜像に現像剤（以下、トナーという）が付着されてトナー像が形成される。この現像部９へのトナーの供給はトナーコンテナ９から行われる。
【００２８】
上記のようにトナー像が形成された感光体ドラム６に向けて、給紙機構９０から用紙が用紙搬送路１１を経由して搬送され、転写ローラ１２により感光体ドラム６表面のトナー像が用紙に転写される。そして、トナー像が転写された用紙は感光体ドラム６から分離され、定着ローラ対１３に搬送されてトナー像が定着される。定着ローラ対１３を通過した用紙は、複数方向に分岐した用紙搬送路１４に送られて、用紙搬送路１４の分岐点で分岐部材によって搬送方向が振り分けられ、そのまま（或いは、用紙搬送路１５に送られて両面コピーされた後に）、上シートトレイ１６ａ、下シートトレイ１６ｂ又はシートトレイ１７の用紙排出部から排出される。なお、感光体ドラム６上の残留トナー等を除去するクリーニング部１８が、感光体ドラム６の回転方向における転写ローラ１２の下流側に設けられている。
【００２９】
給紙機構９０は、デジタル複合機本体４に着脱自在に取り付けられ、用紙を収納する給紙カセット９１，９２，９３と、その上方に設けられるスタックバイパス（手差しトレイ）９４とを備えてなり、これらは用紙搬送路１１によって感光体ドラム６及び現像部９等からなる後述する画像形成部１３２に繋がっている。
【００３０】
プリンタ動作を行う場合は、外部コンピュータ等からデジタル複合機１内の後述する制御部３００に印刷データが入力され、露光装置８で当該印刷データに基づいて生成された変調信号をレーザ光に変換して感光体ドラム６に出力し、感光体ドラム６上に静電潜像が形成される。この後は、コピー動作と同様の現像，転写，定着，記録紙搬送が行われる。
【００３１】
ファクシミリ動作を行う場合は、スキャナ部７によって読み取られた原稿画像のデータが後述するファクシミリ通信部１５０を通じて電話回線から相手先ファクシミリに送信される。
【００３２】
スキャナ動作を行う場合は、スキャナ部７によって読み取られた原稿画像のデータがデジタル複合機１内に備えられているＨＤＤ１９０（後述）に保存される。
【００３３】
図２はデジタル複合機１の概略構成を示す機能ブロック図である。
【００３４】
スキャナ部１１は、露光ランプ７１及びＣＣＤ（電荷結合素子）７２を含む。スキャナ部１１は、露光ランプ７１により原稿を照射し、その反射光をＣＣＤ７２で受光することにより、原稿から画像を読み取り、読み取った画像に対応する画像データを画像処理部１１０へ出力する。
【００３５】
画像処理部１１０は、読み取られた画像データを必要に応じてレベル補正、γ補正等の所定の補正処理、及び拡大又は縮小処理等の種々の加工処理を行い、処理後の画像データを画像メモリ１２０に記憶したり、記録部１３０へ出力する。
【００３６】
制御部３００は、画像データを登録するための登録指示を操作パネル部１４０から受信した場合、スキャナ部７により読み込まれた画像データを画像メモリ１２０に記憶する。さらに制御部３００は、画像メモリ１２０から読み出された画像データに圧縮処理を施し、圧縮された画像データをＨＤＤ１９０に格納する。ここでは、スキャナ部７の性能により６００ｄｐｉの画像データが読み取られ、制御部３００による画像データの圧縮処理後、ＨＤＤ１９０に保存されるものとする。また、画像データは圧縮された状態でＨＤＤ１９０に保存されているが、圧縮処理が施されていない画像データがＨＤＤ１９０に保存された場合にも本発明は適用可能である。ＨＤＤ１９０に記憶される画像データのプリントアウト時には、ＨＤＤ１９０に記憶されるプリントアウト対象の圧縮画像データが制御部３００によって伸張処理され、画像メモリ１２０に書き出された後、記録部１３０（画像形成部１３２）に出力される。
【００３７】
記録部１３０は、図１に示す給紙カセット９１，９２，９３，スタックバイパストレイ９４及び給紙ローラ９４〜９６等から構成される用紙搬送部１３１、図１に示す感光体ドラム６、露光装置８及び現像部９等から構成される画像形成部１３２、図１に示す転写ローラ１２等から構成される転写部１３３、及び図１に示す定着ローラ対１３等から構成される定着部１３４を含む。記録部１３０は、スキャナ部７により読み取られた画像データや、ネットワークＩ／Ｆ部１６０を介してネットワーク上のＰＣ等から送信された印刷画像データ等を用いて画像を記録紙に形成する。
【００３８】
ファクシミリ通信部１５０は、ファクシミリ通信に必要なデータの調整を行うものであって、データ送受信相手である相手先ファクシミリとの電話回線の接続を制御するＮＣＵ（Network Control Unit）を備える。ネットワークＩ／Ｆ部１６０は、ネットワークインタフェース（10/100Base-TX）等を用い、ネットワーク上のＰＣとの間での種々のデータの送受信を制御する。パラレルＩ／Ｆ部１７０は、複数の信号線を用いて同時に数ビットまとめてデータを送るパラレル伝送で外部機器とデータの送受信を行なう。シリアルＩ／Ｆ部１８０は、単一の信号線を用いて1ビットずつ順次データを送るシリアル伝送で外部機器とデータの送受信を行なう。
【００３９】
操作パネル部１４０は、デジタル複合機１の操作に必要な各種の指示が操作者（ユーザ）から入力されるものである。操作パネル部１４０は、図３に示すように、ＬＣＤ１４１１（liquid crystal display）等からなり、デジタル複合機１の操作に必要な各種操作メッセージ等が表示される表示部１４１と、印刷実行指示が入力されるスタートキー１４２１や、印刷部数等が入力されるテンキー１４２２や、登録管理キー１４２３、自動解像度変換キー１４２４等からなる操作キー部１４２とを有している。表示部１４１は、タッチパネル機能を備え、操作者が当該タッチパネルに接触することによって必要な指示を入力できる構成を有する。
【００４０】
登録管理キー１４２３は、スキャナ部７により読み込まれた画像データをＨＤＤ１９０に記憶する場合や、ＨＤＤ１９０に記憶される画像データを読み出してプリントアウトする場合に使用される。登録管理キー１４２３が押下されると、操作画面が表示部１４１に表示され、画像データをＨＤＤ１９０に記憶するための記憶指示がユーザにより入力されると、スキャナ部７で読み取られた画像データは、制御部３００によってＨＤＤ１９０に記憶される。
【００４１】
自動解像度変換キー１４２４は、ＨＤＤ１９０に記憶される画像データの中から予め設定された条件に該当する画像データを選別し、当該画像データの解像度を低くする解像度変換処理を自動的に行なう自動解像度変換機能を利用する際に使用される。自動解像度変換キー１４２４が押下されると、操作画面が表示部１４１に表示され、自動解像度変換機能による解像度変換処理の開始指示がユーザにより入力されると、制御部３００によってＨＤＤ１９０に保存されている画像データの中から予め設定された条件に該当する画像データが選別され、選別された画像データの解像度を低くする処理が画像処理部１１０により行なわれる。
【００４２】
画像処理部１１０は、ＨＤＤ１９０に記憶される画像データの解像度を低くする場合、画像を構成する画素群から一部の画素を削除する間引き処理を行うことによって、解像度の低い画像データを生成する。例えば、６００dpiの画像データを３００ｄpiの画像データに変換する際の解像度変換処理の一例として、隣接する２つの画素のうち一方の画素を間引いたり、他の例として、注目画素ｃの２画素前の画素データａ´、１画素前の画素データｂ´、注目画素ｃの次の画素データｄに基づき、ｃ´＝ｃ＋ｉｎｖａ´？（ｂ´＋ｄ）の演算を行い、補正後のデータｃ´に対し１／２の間引き処理を行う等の方法がある。この画像データの解像度を低くする処理方法（画像データの縮小処理方法）は、特開２００３−８８８３号公報、特開２００２−２９０７１７号公報、特開２００２−１１２０１８号公報、特開２００２−２７２３９号公報、特開２０００−６９２８１号公報等に記載されており、従来技術であるためここでは詳述しない。
【００４３】
ＨＤＤ１９０は、スキャナ部１１によって読み取られた画像データ及び当該画像データに設定されている出力形式等を記憶する。管理用メモリ２００は、特性データ記憶部２０１、条件データ記憶部２０２、及び縮小率記憶部２０３を備える。特性データ記憶部２０１は、ＨＤＤ１９０に格納されている画像データの特性を示す特性データ及び画像データを識別するための識別データを互いに関連付けて記憶する。条件データ記憶部２０２は、画像処理部１１０による自動解像度変換処理の対象となる画像データの特性に関する条件データを記憶する。縮小率記憶部２０３は、解像度変換による画像データの縮小率を示す縮小率データを記憶する。
【００４４】
制御部３００は、ＣＰＵ３０１（Central  Processing  Unit）、ＣＰＵ３０１により実行される種々のプログラムデータなどを予め記憶するＲＯＭ３０２(Read  Only  Memory)、及びＣＰＵ３０１の作業領域としてのＲＡＭ３０３(Random  Access  Memory)等を含み、装置各部を制御する。すなわち、制御部３００はコンピュータを備えている。上記プログラムデータは、ＲＯＭ、ＣＤ−ＲＯＭ等の記録媒体を通じて供給を受けることも、ネットワーク等の伝送媒体を通じて提供を受けることも可能である。
【００４５】
図４は制御部３００の詳細な構成を示す制御ブロック図である。制御部３００は、記憶制御部３１１、特性データ編集部３１２、条件データ設定部３１３、検索部３１４、画像処理制御部３１５、実行判断部３１６及び圧縮・伸張部３１７とを備える。
【００４６】
記憶制御部３１１は、ＨＤＤ１９０、画像メモリ１２０、及び管理用メモリ２００に対するデータの書き込みまたは読み出しの制御を行う。圧縮・伸張部３１７は、スキャナ部７により読み込まれた画像データや、ネットワーク上のＰＣから受信した画像データの圧縮又は伸張処理を行なう。
【００４７】
特性データ編集部３１２は、記憶制御部３１１により画像データがＨＤＤ１９０に記憶される際に、画像データの識別データ及び画像データの特性（登録日、データ量等）を示す特性データを作成する。識別データは、ＨＤＤ１９０に画像データに記憶される際に画像データに付与される識別データと同一のものであり、例えば画像データの登録名を示す登録名データである。特性データ編集部３１２は、ＨＤＤ１９０に記憶される画像データの情報量を示すデータ量データを作成する。また、特性データ編集部３１２は、現在の日時を計時するための時計部（図示省略）を備え、画像データがＨＤＤ１９０に記憶された日を示す登録日データを作成する。これらの情報は、記憶制御部３１１により特性データ記憶部２０１に記憶される。
【００４８】
特性データ編集部３１２は、画像データがＨＤＤ１９０に記憶されると、例えば次回電源投入時等に時計部により得られた現在の日時と登録日データに基づき登録日から現在までの期間である登録期間を示す登録期間データを作成し、登録期間データを記憶制御部３１１を介して特性データ記憶部２０１に記憶する。それ以降、特性データ編集部３１２は、例えば電源投入時毎に特性データ記憶部２０１に記憶される登録期間データを更新する。
【００４９】
特性データ編集部３１２は、ＨＤＤ１９０に一旦記憶された画像データが、プリントアウト時等に記憶制御部３１１により読み出されると、その読み出されたアクセス日を示すアクセス日データ、画像データが記憶制御部３１１により読み出された回数であるアクセス回数を示すアクセス回数データを作成する。これらの情報も記憶制御部３１１により特性データ記憶部２０１に記憶される。特性データ編集部３１２は、画像データのアクセスがある度に順次アクセス日データを最新のアクセス日に更新し、アクセス回数データをカウントアップする。
【００５０】
また、特性データ編集部３１２は、アクセス日データを作成し、特性データ記憶部２０１に記憶すると、例えば次回電源投入時等に時計部により得られた現在の日程とアクセス日データに基づき最新のアクセス日から現在までの経過期間を示すアクセス後保存期間データを作成する。それ以降、特性データ編集部３１２は、例えば電源投入時毎に特性データ記憶部２０１に記憶されるアクセス後保存期間データを更新する。なお、特性データ編集部３１２は、時計部により得られた日を基準として、登録日データ、登録期間データ、アクセス日データ及びアクセス後保存期間データを作成しているが、これに限定されず、時間（時、分、秒等）を基準によりこれらのデータを作成するようにしてもよい。
【００５１】
図５は特性データ記憶部２０１に記憶される特性データの構造を示す図である。特性データ記憶部２０１は、特性データ編集部３１２により作成された登録名データ５０１、登録日データ５０２、登録期間データ５０３、データ量データ５０４、アクセス日データ５０５、アクセス回数データ５０６及びアクセス後保存期間データ５０７等の特性データを適宜記憶する。
【００５２】
条件データ設定部３１３は、ユーザが操作パネル部１４０の操作を行うことにより、ＨＤＤ１９０に記憶される画像データの中から画像処理部１１０による解像度変換処理の対象となる画像データを検出するための条件データが入力されると、入力された条件データを受け付け、条件データ記憶部２０２に記憶する。条件データは、例えば画像データの登録期間、アクセス後保存期間、アクセス回数、データ量等に関するものである。
【００５３】
実行判断部３１６は、条件データ記憶部２０２に条件データが記憶されているか否かによって、自動解像度変換処理を実行するための実行指示の有無を判断し、条件データ記憶部２０２に条件データが記憶されている場合は、自動解像度変換処理の実行指示がなされていると判断し、自動解像度変換処理を開始し、条件データ記憶部２０２に条件データが記憶されていない場合は、自動解像度変換処理の実行指示がなされていないと判断する。
【００５４】
検索部３１４は、条件データ記憶部２０２に記憶される条件データと特性データ記憶部２０１に記憶される特性データとを比較し、条件データを満たす特性データを検索する。検索部３１４により検出された特性データに対応する識別データに基づき、記憶制御部３１１により該当する画像データがＨＤＤ１９０から読みだされ、画像メモリ１２０に記憶される。画像処理制御部３１５は、縮小率記憶部２０３に記憶される縮小率データに基づき、画像データの解像度を変換する処理を画像処理部１１０に行なわせると共に、記憶制御部３１１によりＨＤＤ１９０に記憶される解像度変換前の画像データを画像処理部１１０による解像度変換後の画像データで置き換える。
【００５５】
図６は、ユーザによる操作パネル部１４０の操作により条件データが入力された際に、条件データ設定処理により行なわれる処理を説明するためのフローチャートである。
【００５６】
操作パネル部１４０の自動解像度変換キー１４２４がユーザにより押下されると（ステップＳ１）、表示部１４１には基本画面が表示される（ステップＳ３）。図８は、表示部１４１に表示される基本画面の一例である。基本画面Ｇ１には、条件データを設定するための操作画面に移行するための「条件設定」キーＫ１、解像度変換処理による画像データの縮小率を設定する操作画面に移行するための「縮小率設定」キーＫ２及び条件データ及び画像データの縮小率の設定が終了したことを入力するための「設定終了」キーＫ１１が表示される。また、基本画面Ｇ１には、保存期間、アクセス回数、データ量等の条件データ及び画像データの縮小率が表示される。ここでは、全ての条件データ及び画像データの縮小率について設定処理が行なわれていないため、各条件データ及び縮小率について「非設定」が表示されている。
【００５７】
ステップＳ５において、基本画面Ｇ１において条件設定キーＫ１が押下されると、ステップＳ７に進み、条件データ設定画面が表示部１４１に表示され、縮小率設定キーＫ２が押下されると、ステップＳ２７に進み、縮小率設定画面が表示部１４１に表示され、設定終了キーＫ３２が押下されると条件データ設定処理を終了する。図９は表示部１４１に表示される条件データ設定画面Ｇ２の一例である。条件データ設定画面Ｇ２は、保存期間、アクセス回数、データ量等の各条件データの設定画面に移行するための「保存期間」キーＫ３、「アクセス回数」キーＫ４、「データ量」キーＫ５が表示されると共に、一旦設定された条件データを解除するための「設定解除」キーＫ７〜Ｋ９が表示される。条件データ設定画面Ｇ２には、条件データの設定が終了したことを入力するための「設定終了」キーＫ１１が表示される。
【００５８】
次に、条件データ設定部３１３は、ユーザの操作パネル部１４０の操作により保存期間条件データを受け付けたか否かを判断し（ステップＳ９）、保存期間条件データを受け付けた場合は、受け付けた保存期間条件データを条件データ記憶部２０２に記憶する（ステップＳ１１）。
【００５９】
保存期間条件データの設定方法を図９及び図１０を用いて説明する。条件データ設定画面Ｇ２において「保存期間」キーＫ３が押下されると、保存期間設定画面が表示部１４１に表示される。図１０は、表示部１４１に表示される保存期間設定画面の一例である。保存期間設定画面Ｇ３には、保存期間の起算日として画像データの登録日または最新のアクセス日を選択するための「登録日」キーＫ１２及び「最新アクセス日」キーＫ１３が表示される。「登録日」キーＫ１２または「最新アクセス日」キーＫ１３が選択されると、選択されたキーは反転表示される。また、保存期間設定画面Ｇ３には、画像データの保存期間を入力するための期間入力枠Ｂ１が表示される。ユーザがテンキー１４２２を押下すると、押下された数字が期間入力枠Ｂ１に表示される。「登録日」キーＫ１２または「最新アクセス日」キーＫ１３が選択され、更に期間入力枠Ｂ１に数字が入力された状態で、ユーザにより「ＯＫ」キーＫ１４が押下されると保存期間条件データが確定し、保存期間条件データが操作パネル部１４０から条件データ設定部３１３に送信される。
【００６０】
次に、条件データ設定部３１３は、ユーザの操作パネル部１４０の操作によりアクセス回数条件データを受け付けたか否かを判断し（ステップＳ１３）、アクセス回数条件データを受け付けた場合は、受け付けたアクセス回数条件データを条件データ記憶部２０２に記憶する（ステップＳ１５）。
【００６１】
アクセス回数条件データの設定方法を図９及び図１１を用いて説明する。条件データ設定画面Ｇ２において「アクセス回数」キーＫ４が押下されると、アクセス回数設定画面が表示部１４１に表示される。図１１は、表示部１４１に表示されるアクセス回数設定画面の一例である。アクセス回数設定画面Ｇ４には、「１０回以下」キーＫ１５、「３０回以下」キーＫ１６、「５０回以下」キーＫ１７が表示される。ユーザは自動解像度変換処理の対象となる画像データのアクセス回数が１０回以下を希望する場合は、「１０回以下」キーＫ１５を選択し、アクセス回数が３０回以下を希望する場合は、「３０回以下」キーＫ１６を選択し、アクセス回数が５０回以下を希望する場合は、「５０回以下」キーＫ１７を選択する。ユーザにより「１０回以下」キーＫ１５、「３０回以下」キーＫ１６、「５０回以下」キーＫ１７のいずれかが選択されると、選択されたキーは反転表示され、この状態で「ＯＫ」キーＫ１８が押下されるとアクセス回数条件データが確定し、アクセス回数条件データが操作パネル部１４０から条件データ設定部３１３に送信される。なお、ここではアクセス回数条件データは、単独の条件データとして操作パネル部１４０により選択可能であるが、保存期間条件データを条件データとして選択した場合に追加的に設定可能な要素とした方がより好ましい。これにより、画像データがＨＤＤ１９０に記憶されている期間が設定期間を超えており、かつ、アクセス回数が設定回数以下である画像データの解像度を優先的に低くすることができる。
【００６２】
次に、条件データ設定部３１３は、ユーザの操作パネル部１４０の操作によりデータ量条件データを受け付けたか否か判断し（ステップＳ１７）、データ量条件データを受け付けた場合は、受け付けたデータ量条件データを条件データ記憶部２０２に記憶する（ステップＳ１９）。
【００６３】
データ量条件データの設定方法を図９及び図１２を用いて説明する。条件データ設定画面Ｇ２において「データ量」キーＫ５が押下されると、データ量を設定するためのデータ量設定画面が表示部１４１に表示される。図１２は表示部１４１に表示されるデータ量設定画面の一例である。データ量設定画面Ｇ５には、「５０ＭＢ以上」キーＫ１９、「１００ＭＢ以上」キーＫ２０、「３００ＭＢ以上」キーＫ２１、「５００ＭＢ以上」キーＫ２２が表示される。ユーザは自動解像度変換処理の対象となる画像データのデータ量が５０ＭＢ以上を希望する場合は「５０ＭＢ以上」キーＫ１９を選択し、データ量が１００ＭＢ以上を希望する場合は「１００ＭＢ以上」キーＫ２０を選択し、データ量が３００ＭＢ以上を希望する場合は「３００ＭＢ以上」キーＫ２１を選択し、データ量が５００ＭＢ以上を希望する場合は「５００ＭＢ以上」キーＫ２２を選択する。ユーザにより「５０ＭＢ以上」キーＫ１９、「１００ＭＢ以上」キーＫ２０、「３００ＭＢ以上」キーＫ２１、「５００ＭＢ以上」キーＫ２２のいずれかが選択されると、選択されたキーは反転表示され、この状態で「ＯＫ」キーＫ２３が押下されるとデータ量条件データが確定し、データ量条件データが操作パネル部１４０から条件データ設定部３１３に送信される。
【００６４】
次に、ステップＳ２５において、条件データ設定部３１３は、「設定終了」キーＫ１１が押下されたか否かを判断し、「設定終了」キーＫ１１が押下されていない場合は、ステップＳ７に戻り、表示部１４１は条件データ設定画面Ｇ２を表示し、「設定終了」キーＫ１１が押下された場合は、ステップＳ３に戻り、表示部１４１は基本画面Ｇ１を表示する。この際、表示部１４１に表示される基本画面Ｇ１には、条件データ記憶部２０２に記憶されている条件データが表示される。例えば、ユーザが操作パネル部１４０を用いて保存期間設定画面Ｇ３において保存期間の起算日として「登録日」キーＫ１２を選択すると共に保存期間の期間としてテンキー１４２２の「９０」を選択し、更にアクセス回数設定画面Ｇ４において「１０回以下」キーＫ１５を選択した後に条件データ設定画面Ｇ２において「設定終了」キーＫ１１を押下すると、条件データ記憶部２０２には、保存期間が「登録日から９０日以上」、アクセス回数が「１０回以下」という条件データが記憶されると共に、図１４に示すように、表示部１４１の表示画面が基本画面１に切り替わり、データ保存期間は「登録日から９０日以上」と表示され、アクセス回数は「１０回以下」と表示される。
【００６５】
基本画面Ｇ１において縮小率設定キーＫ２が押下されると（ステップＳ５）、ステップＳ２７に進み、解像度変換処理による画像データの縮小率を設定するための縮小率設定画面が表示部１４１に表示される。図１３は表示部１４１に表示される縮小率設定画面の一例である。縮小率設定画面Ｇ６は、「６００ｄｐｉ→５００ｄｐｉ（５／６倍縮小）」キーＫ２４、「６００ｄｐｉ→４００ｄｐｉ（２／３倍縮小）」キーＫ２５、「６００ｄｐｉ→３００ｄｐｉ（１／２倍縮小）」キーＫ２６、「６００ｄｐｉ→２００ｄｐｉ（１／３倍縮小）」キーＫ２７が表示される。ユーザは自動解像度変換処理の対象となる画像データの処理後の解像度として５００ｄｐｉ（５／６倍縮小）を希望する場合は、「６００ｄｐｉ→５００ｄｐｉ（５／６倍縮小）」キーＫ２４を選択し、４００ｄｐｉ（２／３倍縮小）を希望する場合は「６００ｄｐｉ→４００ｄｐｉ（２／３倍縮小）」キーＫ２５を選択し、３００ｄｐｉ（１／２倍縮小）を希望する場合は「６００ｄｐｉ→３００ｄｐｉ（１／２倍縮小）」キーＫ２６を選択し、２００ｄｐｉ（１／３倍縮小）を希望する場合は「６００ｄｐｉ→２００ｄｐｉ（１／３倍縮小）」キーＫ２７を選択する。ユーザにより「６００ｄｐｉ→５００ｄｐｉ（５／６倍縮小）」キーＫ２４、「６００ｄｐｉ→４００ｄｐｉ（２／３倍縮小）」キーＫ２５、「６００ｄｐｉ→３００ｄｐｉ（１／２倍縮小）」キーＫ２６、「６００ｄｐｉ→２００ｄｐｉ（１／３倍縮小）」キーＫ２７のいずれかが選択されると、選択されたキーは反転表示され、この状態で「ＯＫ」キーＫ２８が押下されると縮小率データが確定し、縮小率データが操作パネル部１４０から条件データ設定部３１３に送信される。
【００６６】
条件データ設定部３１３は、操作パネル部１４０から縮小率データを受け付けたか否か判断し（ステップＳ２９）、縮小率データを受け付けた場合は、受け付けた縮小率データを縮小率記憶部２０３に記憶する（ステップＳ３１）。再度、ステップＳ３に戻り、表示部１４１は基本画面Ｇ１を表示する。この際、表示部１４１に表示される基本画面Ｇ１には、縮小率設定画面Ｇ６においてユーザにより選択された解像度及び縮小率が表示される。例えば、ユーザが操作パネル部１４０を用いて縮小率設定画面Ｇ６において「６００ｄｐｉ→３００ｄｐｉ（１／２倍縮小）」キーＫ２６を選択し、更に「ＯＫ」キーＫ２８を押下すると、「１／２」の縮小率データが縮小率記憶部２０３に記憶されると共に、図１５に示すように、表示部１４１に「６００ｄｐｉ→３００ｄｐｉ（１／２倍縮小）」と表示される。
【００６７】
図７は画像データの自動解像度変換処理を説明するためのフローチャートである。
【００６８】
実行判断部３１６は、条件データ記憶部２０２に条件データが記憶されているか否かにより自動解像度変換処理を実行するための実行指示がなされているか否かを判断し（ステップＳ１０１）、条件データ記憶部２０２に条件データが記憶されていない場合は（ステップＳ１０１でＮｏ）、自動解像度変換処理の実行指示がなされていないと判断し、処理を終了する。実行判断部３１６は、条件データ記憶部２０２に条件データが記憶されている場合は（ステップＳ１０１でＹｅｓ）、自動解像度変換処理の実行指示がなされていると判断し、ステップＳ１０３に進む。
【００６９】
検索部３１４は、条件データ記憶部２０２に記憶される条件データと特性データ記憶部２０１に記憶される特性データとを比較し、条件データを満たす特性データを検索する（ステップＳ１０３）。ユーザによる操作パネル部１４０により画像データの保存期間、アクセス回数、データ量の中から複数の要素が選択された場合は、検索部３１４は、選択された複数の要素を例えば必要的要素として、これらの要素を同時に満たす特性データを特性データ記憶部２０１から検索する。なお、検索部は、選択された複数の要素を選択的要素として、これらの要素のうちいずれかの要素を満たす特性データを検索するようにしてもよい。
【００７０】
検索部３１４により条件データを満たす特性データが検出されなかった場合は（ステップＳ１０５でＮｏ）、処理を終了する。検索部３１４により条件データを満たす特性データが検出された場合は（ステップＳ１０５でＹｅｓ）、記憶制御部３１１は、当該特性データに対応する識別データを識別データに基づき画像データをＨＤＤ１９０から読み出し、画像メモリ１２０に記憶する（ステップＳ１０７）。圧縮・伸張部３１７は、画像データの伸張処理を行い（ステップＳ１０９）、画像処理部１１０は、伸張後の画像データに対し設定された縮小率に基づき解像度変換処理を行なう（ステップＳ１１１）。圧縮・伸張部３１７は、解像度が変換された画像データに対し圧縮処理を施し（ステップＳ１１３）、記録制御部３１１は、ＨＤＤ１９０に記憶される解像度変換前の画像データを消去すると共に解像度変換後の画像データをＨＤＤ１９０に記憶する（ステップＳ１１５）。
【００７１】
検索部３１４は、検索処理により条件データを満たす特性データが他にもあるか否かを判断し（ステップＳ１１７）、条件データを満たす特性データが他にもある場合は（ステップＳ１１７でＹｅｓ）、ステップＳ１０７に戻り、条件データを満たす特性データが他にはない場合は（ステップＳ１１７でＮｏ）、処理を終了する。
【００７２】
次に、図１６を用いて画像データの自動解像度変換処理を具体的に説明する。
【００７３】
図１６（ａ）は、特性データ記憶部２０１に記憶される識別データ及び特性データの一例を示す図であり、図１６（ｂ）はＨＤＤ１９０に記憶される識別データ及び画像データの一例を示す図である。ＨＤＤ１９０には「ファイルＮｏ１」の登録名データ８００が付加された画像データ８０１及び「ファイルＮｏ２」の登録名データ８０２が付加された画像データ８０３が記憶される。
【００７４】
特性データ記憶部２０１には、「ファイルＮｏ１」の登録名データ６００が付加された特性データ６０１及び「ファイルＮｏ２」の登録名データ７００が付加された特性データ７０１が記憶される。特性データ６０１において、登録日データ６０２は「２００３年１月３１日」、登録期間データ６０３は「６０日」、データ量データ６０４は「１．８ｋｂ」、アクセス日データ６０５は「２００３年２月２１日」、アクセス回数データ６０６は「５回」、アクセス後保存期間データ６０７は「７日」である。一方、特性データ７０１において、登録日データ７０２は「２００２年８月３１日」、登録期間データ７０３は「２１０日」、データ量データ７０４は「７．８ｋｂ」、アクセス日データ７０５は「２００３年２月３日」、アクセス回数データ７０６は「２５回」、アクセス後保存期間データ７０７は「２５日」である。
【００７５】
条件データ記憶部２０２には、例えば上述したように保存期間が「登録日から９０日以上」、アクセス回数が「１０回以下」という条件データが記憶されており、縮小率記憶部２０３には、「１／２」という縮小率データが記憶されているものとする。
【００７６】
検索部３１４は、条件データ記憶部２０２に記憶される条件データと特性データ記憶部２０１に記憶される特性データ６０１、７０１とを比較し、条件データを満たす特性データを検索する。具体的には検索部３１４は、特性データに含まれる登録期間データが９０日以上であるか否かを判断すると共に、特性データに含まれるアクセス回数データが１０回以下であるか否かを判断し、登録期間データが９０日以上であり、かつ、アクセス回数が１０回以下である場合は、当該特性データは条件データを満たすと判断する。検索部３１４は、特性データ６０１に含まれる登録期間データ６０３は「６０日」であり、アクセス回数データ６０６が「５回」であるため、当該特性データ６０１は条件データを満たさないと判断し、特性データ７０１に含まれる登録期間データ７０３は「２１０日」であり、アクセス回数データ７０６が「２５回」であるため、当該特性データ７０１は条件データを満たすと判断する。
【００７７】
記憶制御部３１１は、「ファイルＮｏ２」の登録名データ７００に基づき、ＨＤＤ１９０に記憶される画像データ８０３を読み出し、画像メモリ１２０に記憶する。画像処理部１１０は、設定された縮小率に基づき、画像メモリ１２０に記憶される画像データ８０３の解像度が６００ｄｐｉから３００ｄｐｉになるように解像度変換処理を行なう。記憶制御部３１１は、ＨＤＤ１９０に記憶される解像度変換前の６００ｄｐｉの画像データ８０３を解像度変換後の３００ｄｐｉの画像データ８０３に置き換える。
【００７８】
このように本実施形態では、ＨＤＤ１９０に記憶される画像データの中から予め定められた条件を満たす画像データを検索し、当該画像データの解像度を自動的に変更するので、ＨＤＤ１９０の空き容量が無くなる度に、ユーザが操作パネル部１４０によりＨＤＤ１９０に記憶される画像データを選別し、消去する作業を行う必要がなくなり、ユーザの負担を軽減ずることができる。また、ＨＤＤ１９０に記憶される画像データの解像度を低くするので、ＨＤＤ１９０に記憶される画像データを消去することなく保存しておくことができると共に、ＨＤＤ１９０の空き容量の増加に伴い、従来より数多くの画像データを記憶することができる。さらに、ユーザは操作パネル部１４０を用いて画像データの保存期間、アクセス回数、データ量の中から一つまたは複数の要素を組み合わせた条件データを設定することができ、ＨＤＤ１９０の空き容量、画像データの使用状況等に応じて任意の条件を設定することができる。
【００７９】
なお、本実施形態では、ユーザによる操作パネル部１４０により画像データの保存期間、アクセス回数、データ量の中から複数の要素が選択された場合は、検索部３１４は全ての要素を必要的要素として扱っているが、これに限定されず、条件データを設定する際に各要素が必要的要素または選択的要素であるかを選択可能な操作パネル部１４０と、操作パネル部１４０により各要素の条件データと共に必要的要素または選択的要素のいずれを選択したかを示すデータを受け付け、条件データ記憶部２０２に記憶する条件データ設定部３１３とを設けてもよい。また、操作パネル４１０は、ユーザの操作により例えば、画像データの保存期間条件データ及びアクセス回数条件データを必要的要素とした第１の条件データ、アクセス回数条件データ及びデータ量条件データを必要的要素とした第２の条件データを作成し、更に第１の条件データ及び第２の条件データを選択的要素として設定する等、様々な組み合わせの条件を設定可能な構成としてもよい。
【図面の簡単な説明】
【００８０】
【図１】本発明の一実施形態に係るデジタル複写機の概略構成を示す機能ブロック図である。
【図２】デジタル複合機の概略構成を示す機能ブロック図である。
【図３】操作パネル部の外観構成図である。
【図４】制御部の詳細な構成を示す制御ブロック図である。
【図５】特性データ記憶部に記憶されるデータの構造を示す図である。
【図６】条件データの設定処理を説明するためのフローチャートである。
【図７】画像データの自動解像度変換処理を説明するためのフローチャートである。
【図８】表示部に表示される基本画面の一例を示す図である。
【図９】表示部に表示される条件データ設定画面の一例を示す図である。
【図１０】表示部に表示される保存期間設定画面の一例を示す図である。
【図１１】表示部に表示されるアクセス回数設定画面の一例を示す図である。
【図１２】表示部に表示されるデータ量設定画面の一例を示す図である。
【図１３】表示部に表示される縮小率設定画面の一例を示す図である。
【図１４】表示部に表示される基本画面の一例を示す図である。
【図１５】表示部に表示される基本画面の一例を示す図である。
【図１６】（ａ）は、特性データ記憶部に記憶される特性データの一例を示す図であり、（ｂ）はＨＤＤに記憶される識別データ及び画像データの一例を図である。
【符号の説明】
【００８１】
１１０  画像処理部（解像度変換手段）
１２０  画像メモリ
１４０  操作パネル部（条件指定手段）
１９０  ＨＤＤ（画像記憶手段）
２００  管理用メモリ
２０１  特性データ記憶部（特性記憶手段）
２０２  条件データ記憶部（条件記憶手段）
２０３  縮小率記憶部
３００  制御部
３１１  記憶制御部
３１２  特性データ編集部（データ更新手段）
３１３  条件データ設定部
３１４  検索部（検索手段）
３１５  画像処理制御部（画像制御手段）
３１６  実行判断部
３１７  圧縮・伸張部
【図１】
2005269409.tif 000003
【図２】
2005269409.tif 000004
【図３】
2005269409.tif 000005
【図４】
2005269409.tif 000006
【図５】
2005269409.tif 000007
【図６】
2005269409.tif 000008
【図７】
2005269409.tif 000009
【図８】
2005269409.tif 000010
【図９】
2005269409.tif 000011
【図１０】
2005269409.tif 000012
【図１１】
2005269409.tif 000013
【図１２】
2005269409.tif 000014
【図１３】
2005269409.tif 000015
【図１４】
2005269409.tif 000016
【図１５】
2005269409.tif 000017
【図１６】
2005269409.tif 000018